(57)【要約】      （修正有）【課題】消費電力の異なる複数のモードで動作する電子装置において、機能を低下させずに消費電力を低減することを目的とする。【解決手段】電子装置１００において、メインチップのプロセッサは、消費電力が異なる２つのモードのうち前記消費電力が高い方の通常モードにおいて動作し、２つのモードのうち消費電力が低い方の省電力モードにおいて動作を停止する。制御部は、省電力モードにおいてプロセッサと異なるデジタル回路への供給電力の増減を指示する省電力モード制御命令を出力する。電源管理集積回路は、省電力モード制御命令に従ってデジタル回路への供給電力を増減して増減した供給電力を出力する。【選択図】図１
2018106274.tif 000002
【特許請求の範囲】
【請求項１】
消費電力が異なる２つのモードのうち前記消費電力が高い方の通常モードにおいて動作し、前記２つのモードのうち前記消費電力が低い方の省電力モードにおいて動作を停止するプロセッサと、
前記省電力モードにおいて前記プロセッサと異なるデジタル回路への供給電力の増減を指示する省電力モード制御命令を出力する制御部と、
前記省電力モード制御命令に従って前記デジタル回路への前記供給電力を増減して当該増減した供給電力を出力する電源管理集積回路と
を具備する電子装置。
【請求項２】
前記制御部は、前記供給電力の供給または遮断を指示する前記省電力モード制御命令を出力する
請求項１記載の電子装置。
【請求項３】
前記電源管理集積回路は、電源電圧に応じた電力を前記供給電力として出力し、
前記制御部は、前記電源電圧の電圧値の増減を指示する前記制御命令を出力する
請求項１記載の電子装置。
【請求項４】
前記プロセッサは、前記通常モードにおいて前記プロセッサおよび前記デジタル回路への供給電力の増減を指示する通常モード制御命令を出力し、
前記電源管理集積回路は、前記通常モード制御命令および前記省電力モード制御命令のいずれかに従って前記プロセッサおよび前記デジタル回路への前記供給電力を増減する
請求項１記載の電子装置。
【請求項５】
前記通常モードにおいて前記通常モード制御命令を選択して前記電源管理集積回路へ出力し、前記省電力モードにおいて前記省電力モード制御命令を選択して前記電源管理集積回路へ出力するセレクタをさらに具備する
請求項４記載の電子装置。
【請求項６】
前記制御部は、前記プロセッサの動作が停止した場合には前記供給電力の低下を指示する命令を前記省電力モード制御命令として出力し、前記通常モードに復帰するための所定の復帰条件が満たされた場合には前記供給電力の上昇を指示する命令を前記省電力モード制御命令として出力する
請求項１記載の電子装置。
【請求項７】
前記省電力モード制御命令を保持するレジスタをさらに具備し、
前記制御部は、前記省電力モード制御命令を前記レジスタから読み出す
請求項１記載の電子装置。
【請求項８】
前記プロセッサへクロック信号を供給するクロック供給部をさらに具備し、
前記制御部は、前記省電力モードにおいて前記クロック信号の周波数を制御する
請求項１記載の電子装置。
【請求項９】
省電力モードにおいて前記デジタル回路からのセンサデータを収集するセンサデータ収集部をさらに具備し、
前記デジタル回路は、前記センサデータを生成するセンサデバイスを含む
請求項１記載の電子装置。
【請求項１０】
プロセッサが、消費電力が異なる２つのモードのうち前記消費電力が高い方の通常モードにおいて動作し、前記２つのモードのうち前記消費電力が低い方の省電力モードにおいて動作を停止する処理手順と、
制御部が、前記省電力モードにおいて前記プロセッサと異なるデジタル回路への供給電力の増減を指示する省電力モード制御命令を出力する制御手順と、
電源管理集積回路が、前記省電力モード制御命令に従って前記デジタル回路への前記供給電力を増減して当該増減した供給電力を出力する出力手順と
を具備する電子装置の制御方法。
【発明の詳細な説明】
【技術分野】
【０００１】
本技術は、電子装置、および、電子装置の制御方法に関する。詳しくは、消費電力を制御する電子装置、および、電子装置の制御方法に関する。
【背景技術】
【０００２】
近年、半導体プロセスの微細化によるデジタル回路の小型化および低消費電力化の進展に伴って、デジタル回路の消費電流においてリーク電流の占める割合が大きくなっている。このリーク電流の増大により、デジタル回路の電圧を低下させる制御のみでは、消費電力を十分に低減することができない。そこで、通常モードからスタンバイモードに移行する際に、リーク電流の生じるデジタル回路において、ウェイクアップ機能部以外の回路を停止させて、消費電力を低減するシステムが提案されている（例えば、特許文献１参照。）。このシステムにおいて、ウェイクアップ機能部は、スタンバイモード時に駆動電圧の上昇、低下や駆動電圧の供給、遮断などを行う。
【先行技術文献】
【特許文献】
【０００３】
【特許文献１】特開２０１６−６２５４１号公報
【発明の概要】
【発明が解決しようとする課題】
【０００４】
上述の従来技術では、スタンバイモードにおいてウェイクアップ機能部以外の回路が停止するため、電圧制御のみを行う場合よりも消費電力を低減することができる。しかしながら、ウェイクアップ機能部は動作しているため、ウェイクアップ機能部を高機能化するほど消費電力が増大してしまう。ウェイクアップ機能部を停止させれば、消費電力を十分に低減することができるが、スタンバイモードにおいて、駆動電圧の制御や遮断などの複雑な制御を行うことができなくなり、機能が低下してしまう。このように、上述の従来技術では、機能を低下させずに消費電力を低下させることが困難である。
【０００５】
本技術はこのような状況に鑑みて生み出されたものであり、消費電力の異なる複数のモードで動作する電子装置において機能を低下させずに消費電力を低減することを目的とする。
【課題を解決するための手段】
【０００６】
本技術は、上述の問題点を解消するためになされたものであり、その第１の側面は、消費電力が異なる２つのモードのうち上記消費電力が高い方の通常モードにおいて動作し、上記２つのモードのうち上記消費電力が低い方の省電力モードにおいて動作を停止するプロセッサと、上記省電力モードにおいて上記プロセッサと異なるデジタル回路への供給電力の増減を指示する省電力モード制御命令を出力する制御部と、上記省電力モード制御命令に従って上記デジタル回路への上記供給電力を増減して当該増減した供給電力を出力する電源管理集積回路とを具備する電子装置、および、その制御方法である。これにより、省電力モードにおいて制御部により省電力モード制御命令が出力されるという作用をもたらす。
【０００７】
また、この第１の側面において、上記制御部は、上記供給電力の供給または遮断を指示する上記省電力モード制御命令を出力してもよい。これにより、省電力モードにおいて供給電力が供給または遮断されるという作用をもたらす。
【０００８】
また、この第１の側面において、上記電源管理集積回路は、電源電圧に応じた電力を上記供給電力として出力し、上記制御部は、上記電源電圧の電圧値の増減を指示する上記制御命令を出力してもよい。これにより、省電力モードにおいて電源電圧の電圧値が制御されるという作用をもたらす。
【０００９】
また、この第１の側面において、上記プロセッサは、上記通常モードにおいて上記プロセッサおよび上記デジタル回路への供給電力の増減を指示する通常モード制御命令を出力し、上記電源管理集積回路は、上記通常モード制御命令および上記省電力モード制御命令のいずれかに従って上記プロセッサおよび上記デジタル回路への上記供給電力を増減してもよい。これにより、通常モードにおいてプロセッサにより通常モード制御命令が出力されるという作用をもたらす。
【００１０】
また、この第１の側面において、上記通常モードにおいて上記通常モード制御命令を選択して上記電源管理集積回路へ出力し、上記省電力モードにおいて上記省電力モード制御命令を選択して上記電源管理集積回路へ出力するセレクタをさらに具備してもよい。これにより、通常モード制御命令および省電力モード制御命令のいずれかが選択されるという作用をもたらす。
【００１１】
また、この第１の側面において、上記制御部は、上記プロセッサの動作が停止した場合には上記供給電力の低下を指示する命令を上記省電力モード制御命令として出力し、上記通常モードに復帰するための所定の復帰条件が満たされた場合には上記供給電力の上昇を指示する命令を上記省電力モード制御命令として出力してもよい。これにより、プロセッサの動作が停止すると供給電力が低下し、復帰条件が満たされると供給電力が上昇するという作用をもたらす。
【００１２】
また、この第１の側面において、上記省電力モード制御命令を保持するレジスタをさらに具備し、上記制御部は、上記省電力モード制御命令を上記レジスタから読み出してもよい。これにより、省電力モード制御命令がレジスタから読み出されるという作用をもたらす。
【００１３】
また、この第１の側面において、上記プロセッサへクロック信号を供給するクロック供給部をさらに具備し、上記制御部は、上記省電力モードにおいて上記クロック信号の周波数を制御してもよい。これにより、省電力モードにおいてクロック信号の周波数が制御されるという作用をもたらす。
【００１４】
また、この第１の側面において、省電力モードにおいて上記デジタル回路からのセンサデータを収集するセンサデータ収集部をさらに具備し、上記デジタル回路は、上記センサデータを生成するセンサデバイスを含んでもよい。これにより、省電力モードにおいてセンサデータが収集されるという作用をもたらす。
【発明の効果】
【００１５】
本技術によれば、消費電力の異なる複数のモードで動作する電子装置において、機能を低下させずに消費電力を低減することができるという優れた効果を奏し得る。なお、ここに記載された効果は必ずしも限定されるものではなく、本開示中に記載されたいずれかの効果であってもよい。
【図面の簡単な説明】
【００１６】
【図１】本技術の第１の実施の形態における電子装置の一構成例を示すブロック図である。
【図２】本技術の第１の実施の形態におけるメインチップの一構成例を示すブロック図である。
【図３】本技術の第１の実施の形態における電源管理ユニットの一構成例を示すブロック図である。
【図４】本技術の第１の実施の形態におけるレジスタに保持されるデータの一例を示す図である。
【図５】本技術の第１の実施の形態における電源管理集積回路の一構成例を示すブロック図である。
【図６】本技術の第１の実施の形態におけるセンサデバイスの電源を制御するときの電子装置の動作の一例を示すシーケンス図である。
【図７】本技術の第１の実施の形態における電源電圧を制御するときの電子装置の動作の一例を示すシーケンス図である。
【図８】本技術の第２の実施の形態におけるメインチップの一構成例を示すブロック図である。
【図９】本技術の第２の実施の形態におけるクロック供給部の一構成例を示すブロック図である。
【図１０】本技術の第２の実施の形態における電源管理ユニットの一構成例を示すブロック図である。
【図１１】本技術の第２の実施の形態におけるレジスタに保持されるデータの一例を示す図である。
【図１２】本技術の第３の実施の形態におけるメインチップの一構成例を示すブロック図である。
【図１３】本技術の第３の実施の形態におけるセンサデータ収集部の一構成例を示すブロック図である。
【図１４】本開示に係る技術が適用され得るＩｏＴシステム９０００の概略的な構成の一例を示す図である。
【発明を実施するための形態】
【００１７】
以下、本技術を実施するための形態（以下、実施の形態と称する）について説明する。説明は以下の順序により行う。
１．第１の実施の形態（スリープモードで電源管理ユニットが制御命令を生成する例）
２．第２の実施の形態（スリープモードで電源管理ユニットが制御命令を生成し、クロックを制御する例）
３．第３の実施の形態（スリープモードで電源管理ユニットが制御命令を生成し、センサデータ収集部がセンサデータを収集する例）
４．応用例
【００１８】
＜１．第１の実施の形態＞
［電子装置の構成例］
図１は、本技術の実施の形態における電子装置１００の一構成例を示すブロック図である。この電子装置１００は、メインチップ２００、電源管理集積回路１１０、センサデバイス１２０およびバッテリ１３０を備える。電子装置１００として、ウェアラブルデバイス、スマートフォンやノート型パーソナルコンピュータなどのモバイル機器などが想定される。
【００１９】
メインチップ２００には、プロセッサやメモリなどの主要な回路や素子が設けられる。このメインチップ２００は、所定のクロック信号ＣＬＫに同期して集積回路制御命令を生成し、電源管理集積回路１１０に信号線２０９を介して供給する。ここで、集積回路制御命令は、電源管理集積回路１１０が供給する供給電力の増減を指示する命令である。この集積回路制御命令は、例えば、電源管理集積回路１１０が供給する電源電圧の設定値と、その電圧の供給や遮断などを指示する命令との少なくとも一方を含む。電源電圧の制御により、その電圧値に応じた供給電力が増減する。
【００２０】
バッテリ１３０は、充電により電力を蓄え、放電により電力を出力するものである。
【００２１】
電源管理集積回路１１０は、集積回路制御命令に従って、供給電力を制御するものである。この電源管理集積回路１１０は、バッテリ１３０からの電力を用いて電源電圧ＶＤＤ１を生成し、その電源電圧ＶＤＤ１をメインチップ２００に信号線１１８を介して供給する。また、電源管理集積回路１１０は、バッテリ１３０からの電力を用いて電源電圧ＶＤＤ２を生成し、その電源電圧ＶＤＤ２をセンサデバイス１２０に信号線１１９を介して供給する。集積回路制御情報により、電源電圧ＶＤＤ１およびＶＤＤ２のそれぞれの電圧値が制御される。また、集積回路制御情報により、電源電圧ＶＤＤ２の供給または遮断が行われる。なお、電源電圧ＶＤＤ１の遮断は、メインチップ２００内部の回路により行われる。
【００２２】
センサデバイス１２０は、所定の物理量を測定するものである。センサデバイス１２０としては、加速度センサ、イメージセンサ、温度センサや磁気センサなどが想定される。センサデバイス１２０は、測定値が所定の閾値を超える場合に外部割込み信号を生成してメインチップ２００に信号線１２９を介して供給する。この外部割込み信号の利用方法については後述する。
【００２３】
なお、電子装置１００に、センサデバイス１２０を１つのみ設けているが、２つ以上のセンサデバイスを設けてもよい。また、電子装置１００に、センサデバイス１２０以外の回路や素子を設けることもできる。例えば、水晶発振器等の外部クロック生成器や、フラッシュメモリなどを設けることができる。センサデバイス１２０以外の回路等への電圧についても、センサデバイス１２０と同様に電源管理集積回路１１０により制御される。
【００２４】
［メインチップの構成例］
図２は、本技術の第１の実施の形態におけるメインチップ２００の一構成例を示すブロック図である。このメインチップ２００には、スイッチ２１０および２１１と、電源ドメイン２２０および２３０と、電源管理ユニット２４０と、セレクタ２６０と、通信部２７０とが設けられる。
【００２５】
スイッチ２１０は、電源管理ユニット２４０からのスイッチ制御信号ＳＷ１に従って、電源ドメイン２２０と電源管理集積回路１１０との間の電源経路を開閉するものである。スイッチ２１１は、電源管理ユニット２４０からのスイッチ制御信号ＳＷ２に従って、電源ドメイン２３０と電源管理集積回路１１０との間の電源経路を開閉するものである。
【００２６】
電源ドメイン２２０は、電源ドメイン２３０と独立して電源を供給または遮断することができる領域である。この電源ドメイン２２０には、プロセッサ２２１およびメモリ２２２が設けられる。電源ドメイン２３０には、画像データや音声データを処理するデジタル信号処理回路や、無線ベースバンド信号処理回路などの様々な回路が配置される。
【００２７】
なお、電源供給を遮断することのできる電源ドメインとして電源ドメイン２２０および２３０の２つを設けているが、そのようなドメインを３つ以上設けてもよい。また、電源ドメイン２３０を設けず、電源ドメイン２２０のみを設けてもよい。
【００２８】
プロセッサ２２１は、電子装置１００の動作モードに応じて動作または停止するものである。プロセッサ２２１としては、ＣＰＵ（Central Processing Unit）やＭＰＵ（Micro Processor Unit）が想定される。
【００２９】
ここで、電子装置１００の状態は、消費電力の異なる複数の動作モードに分類することができる。例えば、電子装置１００の動作モードは、消費電力が比較的高い通常モードと、比較的低いスリープモードとを含む。なお、スリープモードは、特許請求の範囲に記載の省電力モードの一例である。
【００３０】
また、通常モードにおいてはスリープモードと異なる集積回路制御命令が生成される。以下、通常モードにおける集積回路制御命令を「通常モード制御命令」と称し、スリープモードにおける制御命令を「スリープモード制御命令」と称する。
【００３１】
プロセッサ２２１は、通常モードにおいて動作し、スリープモードにおいて動作を停止するものとする。また、プロセッサ２２１は、通常モードにおいて通常モード制御命令を生成してセレクタ２６０に出力する。そして、プロセッサ２２１は、通常モードにおいて、スリープモードへ移行するための所定の移行条件が満たされると、電源ドメイン２２０への電源供給の遮断を指示する電源オフ命令を生成して電源管理ユニット２４０に出力する。移行条件は、例えば、ユーザにより所定の操作が行われたことや、操作が行われない期間が一定時間以上に亘って継続したことである。
【００３２】
メモリ２２２は、プロセッサ２２１が実行するプログラムにおいて用いられるデータなどを一時的に保持するものである。
【００３３】
電源管理ユニット２４０は、スリープモードにおいてスリープ制御命令を生成するものである。この電源管理ユニット２４０は、電源オフ命令を受け取る（すなわち、スリープモードに移行する）と、スイッチ制御信号ＳＷ１により電源ドメイン２２０への電源供給を遮断する。
【００３４】
また、電源管理ユニット２４０は、電源オフ命令を受け取った際に必要に応じてスイッチ制御信号ＳＷ２により電源ドメイン２３０への電源供給を遮断する。スリープモードにおいて電源ドメイン２３０への電源供給を遮断するか否かは、実行するアプリケーションの種類や、バッテリ１３０の残量に基づいて決定される。
【００３５】
また、電源管理ユニット２４０は、電源オフ命令を受け取った際に、選択信号ＳＥＬｉｃによりセレクタ２６０にスリープモード制御命令を選択させる。このスリープモード制御命令により、電源電圧ＶＤＤ１およびＶＤＤ２の電圧値と、電源電圧ＶＤＤ２の供給または遮断が指示される。これにより、通信部２７０、電源ドメイン２３０やセンサデバイス１２０への供給電力が増減する。なお、電源ドメイン２３０内の回路、通信部２７０、および、センサデバイス１２０を含む回路は、特許請求の範囲に記載のデジタル回路の一例である。
【００３６】
そして、選択信号ＳＥＬｉｃによりセレクタ２６０を切り替えた後に電源管理ユニット２４０は、供給電力の低下を指示するスリープ制御命令を生成する。そして、電源管理ユニット２４０は、スリープモードから通常モードへ復帰するための所定の復帰条件が満たされたときに、供給電力の上昇を指示するスリープ制御命令を生成する。そして、電源管理ユニット２４０は、選択信号ＳＥＬｉｃにより通常モード制御命令を選択させる。
【００３７】
ここで、復帰条件は、例えば、スリープモードへ移行してから一定時間が経過したことや、外部割込み信号が入力されたことなどである。この復帰条件の設定により、例えば、スリープモードに移行してから一定期間が経過したときや、加速度センサなどのセンサデバイス１２０の測定値が閾値を超えた（すなわち、外部割込み信号が生成された）ときなどに復帰する機能を実現することができる。以下、スリープモードへの移行時のスリープモード制御命令を「スリープ移行時制御命令」と称し、通常モードへの移行時のスリープモード制御命令を「復帰時制御命令」と称する。
【００３８】
セレクタ２６０は、選択信号ＳＥＬｉｃに従って、通常モード制御命令とスリープモード制御命令とのいずれかを選択して通信部２７０に供給するものである。
【００３９】
通信部２７０は、選択された集積回路制御命令を電源管理集積回路１１０に送信するものである。
【００４０】
なお、電源管理ユニット２４０が、スイッチ制御信号ＳＷ１およびＳＷ２により電源ドメイン２２０および２３０への電源を遮断しているが、この構成に限定されない。例えば、電源管理集積回路１１０が、電源ドメイン２２０や２３０に個別に電源電圧を供給し、電源管理ユニット２４０が、スリープモード制御命令により、それぞれのドメインへの電源を遮断させてもよい。
【００４１】
［電源管理ユニットの構成例］
図３は、本技術の第１の実施の形態における電源管理ユニット２４０の一構成例を示すブロック図である。この電源管理ユニット２４０は、レジスタ２５０、制御シーケンサ２４１、スリープタイマ２４２、電源管理集積回路制御部２４３およびメインチップ内電源制御部２４４を備える。
【００４２】
レジスタ２５０は、スリープ移行時制御命令および復帰時制御命令と、様々な設定情報とを保持するものである。設定情報は、例えば、スリープモードにおいて電源ドメイン２３０などの電源を遮断するか否かを示す情報と、スリープタイマ２４２の設定値と、外部割込み信号に応じて復帰するか否かを示す情報とを含む。
【００４３】
制御シーケンサ２４１は、電源管理ユニット２４０全体を制御するものである。制御シーケンサ２４１の回路は、例えば、ＲＴＬ（Register Transfer Level）設計ツールなどの自動設計ツールにより作成される。なお、設計者は、ＲＴＬ設計ツールなどを用いずに制御シーケンサ２４１を独自開発してもよい。独自開発することにより、設計者が、メインチップ２００と電源管理集積回路１１０との間の電圧や電源供給状態を観測しながら、メインチップ２００側が省電力となる構成を間接的に発見することができることがある。
【００４４】
制御シーケンサ２４１は、プロセッサ２２１から電源オフ命令を受け取ると、選択信号ＳＥＬｉｃによりセレクタ２６０にスリープモード制御命令を選択させる。そして、制御シーケンサ２４１は、スリープモードへの移行を電源管理集積回路制御部２４３およびメインチップ内電源制御部２４４に通知し、スリープタイマ２４２のタイマ値を初期値にリセットする。
【００４５】
そして、制御シーケンサ２４１は、レジスタ２５０から設定情報を読み出し、復帰条件が満たされたか否かを判断する。外部割込み信号に応じて復帰する旨が設定されている場合には、外部割込み信号の入力、または、スリープタイマ２４２のタイマ値が設定値を超えたときに復帰条件を満たしたと判断される。一方、外部割込み信号に応じて復帰しない旨が設定されている場合には、スリープタイマ２４２のタイマ値が設定値を超えたときに復帰条件を満たしたと判断される。なお、制御シーケンサ２４１は、後述するチップ内割込み信号の入力時に復帰条件を満たしたと判断してもよい。
【００４６】
なお、制御シーケンサ２４１は、スリープモード移行時にスリープタイマ２４２をリセットしているが、この設定方法に限定されない。例えば、電子装置１００は、スリープモードに移行した際にスリープタイマ２４２をリセットせず、移行時のタイマ値Ｔを保持しておき、タイマ値がＴ＋ｄＴとなったときに復帰してもよい。ここで、ｄＴは、スリープモードに移行してから復帰するまでの設定時間である。
【００４７】
制御シーケンサ２４１は、復帰条件が満たされた場合に通常モードへの復帰を電源管理集積回路制御部２４３およびメインチップ内電源制御部２４４に通知する。そして、制御シーケンサ２４１は、選択信号ＳＥＬｉｃによりセレクタ２６０に通常モード制御命令を選択させる。
【００４８】
スリープタイマ２４２は、スリープモードに移行したときから経過した時間を計時するものである。
【００４９】
電源管理集積回路制御部２４３は、スリープモードにおいてスリープモード制御命令を生成するものである。この電源管理集積回路制御部２４３は、スリープモードへの移行が通知されると、スリープ移行時制御命令をレジスタ２５０から読み出し、セレクタ２６０へ出力する。そして、通常モードへの復帰が通知されると、電源管理集積回路制御部２４３は、復帰時制御命令をレジスタ２５０から読み出し、セレクタ２６０へ出力する。なお、電源管理集積回路制御部２４３は、特許請求の範囲に記載の制御部の一例である。
【００５０】
メインチップ内電源制御部２４４は、メインチップ２００内の電源ドメインへの電源供給を制御するものである。このメインチップ内電源制御部２４４は、通常モードにおいてスイッチ制御信号ＳＷ１およびＳＷ２により、電源ドメイン２２０および２３０の両方へ電源電圧ＶＤＤ１を供給させる。
【００５１】
また、スリープモードへの移行が通知されると、メインチップ内電源制御部２４４は、レジスタ２５０から設定情報を読み出す。そして、メインチップ内電源制御部２４４は、その設定情報に従って電源ドメイン２２０および２３０の両方、または、電源ドメイン２２０のみへの電源供給を遮断させる。そして、通常モードへの移行が通知されると、メインチップ内電源制御部２４４は、スイッチ制御信号ＳＷ１およびＳＷ２により、電源ドメイン２２０および２３０の両方へ電源電圧ＶＤＤ１を供給させる。
【００５２】
図４は、本技術の第１の実施の形態におけるレジスタ２５０に保持されるデータの一例を示す図である。レジスタ２５０は、メインチップ内電源設定情報２５１、スリープモード制御命令２５２、スリープタイマ設定情報２５５および外部割込み設定情報２５６を保持する。スリープモード制御命令２５２は、スリープ移行時制御命令２５３と復帰時制御命令２５４とを含む。
【００５３】
メインチップ内電源設定情報２５１は、スリープモードにおいて電源ドメイン２３０などの電源を遮断するか否かを示す情報である。スリープタイマ設定情報２５５は、スリープモードから復帰する際のスリープタイマ２４２の設定値を示す情報である。外部割込み設定情報２５６は、外部割込み信号に応じて復帰するか否かを示す情報である。
【００５４】
［電源管理集積回路の構成例］
図５は、本技術の第１の実施の形態における電源管理集積回路１１０の一構成例を示すブロック図である。この電源管理集積回路１１０は、電圧制御部１１１、制御命令保持部１１２、通信部１１３およびスイッチ１１４を備える。
【００５５】
通信部１１３は、メインチップ２００からの集積回路制御命令を受信するものである。この通信部１１３は、受信した集積回路制御命令を制御命令保持部１１２に保持させる。制御命令保持部１１２は、集積回路制御命令を保持するものである。
【００５６】
電圧制御部１１１は、バッテリ１３０からの電力を用いて電源電圧ＶＤＤ１およびＶＤＤ２を生成し、集積回路制御命令に従って、それらの電圧値を制御するものである。電源電圧ＶＤＤ１は、メインチップ２００に供給され、電源電圧ＶＤＤ２はスイッチ１１４に供給される。
【００５７】
スイッチ１１４は、集積回路命令に従って、電圧制御部１１１とセンサデバイス１２０との間の電源経路を開閉するものである。
【００５８】
［電子装置の動作例］
図６は、本技術の第１の実施の形態におけるセンサデバイス１２０の電源を制御するときの電子装置１００の動作の一例を示すシーケンス図である。このシーケンス図では、スリープモードにおいてセンサデバイス１２０の電源を遮断する旨がレジスタ２５０に設定されているものとする。
【００５９】
プロセッサ２２１は、通常モードにおいて様々なアプリケーションを実行する（ステップＳ９１１）。そして、プロセッサ２２１は、アプリケーションの実行状況に基づいて通常モード制御命令を生成し、電源管理集積回路１１０に供給する。電源管理集積回路１１０は、その通常モード制御命令に従って、メインチップへの電源電圧ＶＤＤ１を制御する（ステップＳ９３１）。
【００６０】
また、プロセッサ２２１は、ユーザの操作などに従ってスリープモードへの移行を決定し（ステップＳ９１２）、電源オフ要求を電源管理ユニット２４０に供給する。電源管理ユニット２４０は、電源オフ要求を受け取ると、スイッチ制御信号ＳＷ１およびＳＷ２によりプロセッサ２２１などの電源をオフにする（ステップＳ９２１）。そして、電源管理ユニット２４０は、セレクタ２６０を制御して、電源管理ユニット２４０側に切り替えさせる（ステップＳ９２２）。
【００６１】
電源管理ユニット２４０は、スリープ移行時制御命令を電源管理集積回路１１０に供給する。電源管理集積回路１１０は、そのスリープ移行時制御命令に従って、センサデバイス１２０の電源をオフにする（ステップＳ９３２）。
【００６２】
そして、スリープタイマ２４２がタイムアップする（ステップＳ９２３）と、電源管理ユニット２４０は、復帰時制御命令を生成して電源管理集積回路１１０に供給する。電源管理集積回路１１０は、その復帰時制御命令に従って、センサデバイス１２０の電源をオンにする（ステップＳ９３３）。そして、電源管理ユニット２４０は、プロセッサ２２１等の電源をオンにし（ステップＳ９２４）、セレクタ２６０を制御して、プロセッサ２２１側に切り替えさせる（ステップＳ９２５）。
【００６３】
このように、スリープモードにおいて電源管理ユニット２４０が制御命令を生成するため、スリープモードにおいてセンサデバイス１２０をオンオフする機能を実現することができる。また、プロセッサ２２１の動作を停止させて、スリープモード時の消費電力を低減することができる。
【００６４】
仮に、スリープモードにおいてプロセッサ２２１が制御命令を生成する構成とすると、制御命令を生成するプログラムを実行するために、プロセッサ２２１内の演算回路、バス、メモリなどの電源をオンにする必要がある。このため、プロセッサ２２１の消費電力を十分に低下させることができない。
【００６５】
また、仮に、スリープモードへの移行直前にプロセッサ２２１がセンサデバイス１２０の電源をオフし、復帰直後に電源をオフにする構成にすると、復帰時のセンサデバイス１２０の動作が遅れるおそれがある。これは、プロセッサ２２１が復帰した際にブート処理を実行してから、プログラムを起動して制御命令を生成する必要があり、制御命令の生成開始までに非常に時間がかかるためである。
【００６６】
なお、センサデバイス１２０の他、外部クロック生成器も制御する場合、例えば、電源管理ユニット２４０は、スリープモードへの移行時に外部クロック生成器の電源をオフにし、復帰時に事前に外部クロック生成器の電源をオンにしてもよい。これにより、プロセッサ２２１の起動を高速化することができる。
【００６７】
図７は、本技術の第１の実施の形態における電源電圧を制御するときの電子装置１００の動作の一例を示すシーケンス図である。このシーケンス図では、スリープモードにおいて外部割込み信号に応じて復帰する旨と、電圧値を低下させる旨とがレジスタ２５０に設定されているものとする。
【００６８】
プロセッサ２２１は、通常モードにおいてアプリケーションを実行し（ステップＳ９１１）、その実行状況に基づいて通常モード制御命令を生成し、電源管理集積回路１１０に供給する。電源管理集積回路１１０は、通常モード制御命令に従って、メインチップへの電源電圧ＶＤＤ１を制御する（ステップＳ９３１）。
【００６９】
また、プロセッサ２２１は、ユーザの操作などに従ってスリープモードへの移行を決定し（ステップＳ９１２）、電源オフ要求を電源管理ユニット２４０に供給する。電源管理ユニット２４０は、電源オフ要求に応じてプロセッサ２２１などの電源をオフにする（ステップＳ９２１）。そして、電源管理ユニット２４０は、セレクタ２６０を制御して、電源管理ユニット２４０側に切り替えさせる（ステップＳ９２２）。
【００７０】
電源管理ユニット２４０は、スリープ移行時制御命令を電源管理集積回路１１０に供給する。電源管理集積回路１１０は、そのスリープ移行時制御命令に従って、メインチップ２００への電源電圧ＶＤＤ１を低下させる（ステップＳ９３４）。
【００７１】
そして、センサデバイス１２０から外部割込み信号が入力されると、電源管理ユニット２４０は、復帰時制御命令を生成して電源管理集積回路１１０に供給する。電源管理集積回路１１０は、復帰時制御命令に従って、メインチップ２００への電源電圧ＶＤＤ１を上昇させる（ステップＳ９３５）。そして、電源管理ユニット２４０は、プロセッサ２２１等の電源をオンにし（ステップＳ９２４）、セレクタ２６０を制御して、プロセッサ２２１側に切り替えさせる（ステップＳ９２５）。
【００７２】
このように、本技術の第１の実施の形態によれば、スリープモードにおいて電源管理ユニット２４０が制御命令を生成してセンサデバイス１２０などへの供給電力を増減させるため、機能を低下させずに消費電力を低減することができる。
【００７３】
＜２．第２の実施の形態＞
上述の第１の実施の形態では、スリープモードにおいて通常モードと同一のクロック信号によりメインチップ２００内の回路を動作させていたが、スリープモードにおいてクロック周波数を低下させれば、さらに消費電力を低下させることができる。この第２の実施の形態の電子装置１００は、クロック周波数を制御する点において第１の実施の形態と異なる。
【００７４】
図８は、本技術の第２の実施の形態におけるメインチップ２００の一構成例を示すブロック図である。この第２の実施の形態のメインチップ２００は、クロック供給部２８０をさらに備える点において第１の実施の形態と異なる。
【００７５】
クロック供給部２８０は、電源ドメイン２２０および２３０のそれぞれにクロック信号を供給するものである。このクロック供給部２８０は、クロック信号ＣＬＫ１を電源ドメイン２２０に供給し、クロック信号ＣＬＫ２を電源ドメイン２３０に供給する。また、クロック供給部２８０は、選択信号ＳＥＬｃに従って、クロック信号ＣＬＫ１の周波数を、異なる２つの値のいずれかに切り替える。
【００７６】
図９は、本技術の第２の実施の形態におけるクロック供給部２８０の一構成例を示すブロック図である。このクロック供給部２８０は、水晶発振器２８１、位相同期回路２８２およびセレクタ２８３を備える。
【００７７】
水晶発振器２８１は、所定の周波数のクロック信号ＣＬＫＸｔａｌを生成して位相同期回路２８２およびセレクタ２８３に供給するものである。
【００７８】
位相同期回路２８２は、クロック信号ＣＬＫＸｔａｌの周波数を所定の逓倍比により逓倍するものである。この位相同期回路２８２は、逓倍後のクロック信号ＣＬＫ２をセレクタ２８３と電源ドメイン２３０とに供給する。
【００７９】
セレクタ２８３は、選択信号ＳＥＬｃに従って、クロック信号ＣＬＫＸｔａｌおよびＣＬＫ２のいずれかを選択し、クロック信号ＣＬＫ１として電源ドメイン２２０に出力するものである。
【００８０】
図１０は、本技術の第２の実施の形態における電源管理ユニット２４０の一構成例を示すブロック図である。この第２の実施の形態の電源管理ユニット２４０は、メインチップ内クロック制御部２４５をさらに備える点において第１の実施の形態と異なる。
【００８１】
メインチップ内クロック制御部２４５は、レジスタ２５０の設定情報に従って、クロック信号ＣＬＫ１の周波数を制御するものである。この設定情報には、例えば、スリープモードにおいて周波数を低下させるか否かが設定される。
【００８２】
スリープモードにおいて周波数を低下させる旨が設定されている場合にメインチップ内クロック制御部２４５は、スリープモードへの移行時に選択信号ＳＥＬｃによりクロック供給部２８０を制御して周波数の低い方のクロック信号ＣＬＫＸｔａｌを選択させる。そして、通常モードへの復帰時にメインチップ内クロック制御部２４５は、選択信号ＳＥＬｃによりクロック供給部２８０を制御して周波数の高い方のクロック信号ＣＬＫ２を選択させる。
【００８３】
復帰時にメインチップ内クロック制御部２４５がクロック周波数を上昇させることにより、プロセッサ２２１の再起動を高速化することができる。
【００８４】
なお、メインチップ内クロック制御部２４５は、スリープモードへの移行時にプロセッサ２２１へのクロック周波数を低下させているが、プロセッサ２２１へのクロック信号の供給そのものを停止させてもよい。この場合には、メインチップ内クロック制御部２４５は、クロック信号ＣＬＫ１の供給を停止するか否かを示すイネーブル信号を生成してクロック供給部２８０に供給する。
【００８５】
図１１は、本技術の第２の実施の形態におけるレジスタ２５０に保持されるデータの一例を示す図である。この第２の実施の形態のレジスタ２５０は、クロック設定情報２５７をさらに保持する。クロック設定情報２５７は、スリープモードにおいて周波数を低下させるか否かを示す情報である。
【００８６】
このように、本技術の第２の実施の形態では、スリープモードにおいて電源管理ユニット２４０がクロック信号の周波数を低下させるため、スリープモードにおける消費電力をさらに低減することができる。
【００８７】
＜３．第３の実施の形態＞
上述の第１の実施の形態では、電子装置１００は、消費電力を低減するためにスリープモードにおいてセンサデバイス１２０を停止し、センサデバイス１２０のデータを収集していなかった。しかし、スリープモードにおいてセンサデバイス１２０を停止すると、定期的に収集されたデータを用いる処理の実行が困難になるおそれがある。例えば、センサデバイス１２０としてＧＰＳ（Global Positioning System）センサを用い、そのＧＰＳセンサからの位置情報を用いて電子装置１００が移動した軌跡を求める場合を考える。この場合に、スリープモードで位置情報の収集を中断すると、軌跡が不完全なものとなってしまう。このような場合、センサデバイス１２０の分、消費電力が上昇しても、電源電圧の低下により全体の消費電力を十分に低減できるのであれば、スリープモード中もセンサデバイス１２０の電源をオンにして電子装置１００がデータを収集することが望ましい。この第３の実施の形態の電子装置１００は、スリープモード中においてもセンサデバイス１２０からのデータを収集する点において第１の実施の形態と異なる。
【００８８】
図１２は、本技術の第３の実施の形態におけるメインチップ２００の一構成例を示すブロック図である。この第３の実施の形態のメインチップ２００は、センサデータ収集部２９０およびセレクタ２６１をさらに備える点において第１の実施の形態と異なる。
【００８９】
また、第３の実施の形態の電源管理ユニット２４０は、スリープモードへの移行時に、選択信号ＳＥＬｓによりセレクタ２６１を制御してセンサデータ収集部２９０からのセンサ制御信号を選択させる。このセンサ制御信号は、センサデバイス１２０の動作を制御するための情報であり、サンプリング周波数を指示する情報や、動作の開始または停止を指示するイネーブル信号などを含む。
【００９０】
また、電源管理ユニット２４０は、通常モードへの復帰時に、選択信号ＳＥＬｓによりセレクタ２６１を制御してプロセッサ２２１からのセンサ制御信号を選択させる。この選択信号ＳＥＬｓは、センサデータ収集部２９０にも供給される。
【００９１】
センサデータ収集部２９０は、スリープモードにおいてセンサデバイス１２０により生成されたセンサデータを収集するものである。このセンサデータ収集部２９０は、スリープモードにおいてセンサ制御信号を生成してセレクタ２６１に供給する。また、センサデータ収集部２９０は、そのセンサ制御信号に応じてセンサデバイス１２０が生成したセンサデータを取得して保持する。
【００９２】
第３の実施の形態のプロセッサ２２１は、通常モードにおいてセンサ制御情報を生成してセレクタ２６１に供給する。また、プロセッサ２２１は、センサ収集設定情報を生成してセンサデータ収集部２９０に出力する。このセンサ収集設定情報は、センサデータ収集部２９０のスリープモード中の動作を制御するための情報であり、例えば、センサデータの収集を継続するか否かを示すイネーブル信号や、サンプリング周波数の設定値などを含む。また、スリープモードから通常モードに復帰した際に、プロセッサ２２１は、スリープモード中のセンサデータをセンサデータ収集部２９０から読み出して処理する。
【００９３】
セレクタ２６１は、選択信号ＳＥＬｓに従って、プロセッサ２２１からのセンサ制御信号と、センサデータ収集部２９０からのセンサ制御情報とのいずれかを選択してセンサデバイス１２０に出力するものである。
【００９４】
なお、電源管理ユニット２４０が、セレクタ２６１を切り替えているが、電源管理ユニット２４０の代わりにプロセッサ２２１が、セレクタ２６１を切り替えることもできる。
【００９５】
また、センサデータ収集部２９０は、復帰させるための割込み信号を出力していないが、所定の閾値以上の個数のセンサデータを収集した際に、チップ内割込み信号を電源管理ユニット２４０に出力してもよい。このチップ内割込み信号が入力されたときに電源管理ユニット２４０は、復帰条件を満たしたと判断する。
【００９６】
図１３は、本技術の第３の実施の形態におけるセンサデータ収集部２９０の一構成例を示すブロック図である。このセンサデータ収集部２９０は、レジスタ２９１、センサデバイス制御部２９２およびＦＩＦＯ（First In, First Out）メモリ２９３を備える。
【００９７】
レジスタ２９１は、プロセッサ２２１からのセンサ収集設定情報を保持するものである。センサデバイス制御部２９２は、センサ収集設定情報に従って、スリープモード中にセンサ制御信号を生成するものである。ＦＩＦＯメモリ２９３は、センサデータを先入れ先出し方式で保持するものである。
【００９８】
このように、本技術の第３の実施の形態では、センサデータ収集部２９０が、スリープモードにおいてセンサデータを収集するため、センサデータを継続的に収集して処理するアプリケーションにより電子装置１００の利便性を向上させることができる。
【００９９】
＜４．応用例＞
本開示に係る技術は、いわゆる「物のインターネット」であるＩｏＴ（Ｉｎｔｅｒｎｅｔ  ｏｆ  ｔｈｉｎｇｓ）と呼ばれる技術へ応用可能である。ＩｏＴとは、「物」であるＩｏＴデバイス９１００が、他のＩｏＴデバイス９００３、インターネット、クラウド９００５などに接続され、情報交換することにより相互に制御する仕組みである。ＩｏＴは、農業、家、自動車、製造、流通、エネルギー、など様々な産業に利用できる。
【０１００】
図１４は、本開示に係る技術が適用され得るＩｏＴシステム９０００の概略的な構成の一例を示す図である。
【０１０１】
ＩｏＴデバイス９００１には、温度センサー、湿度センサー、照度センサー、加速度センサー、距離センサー、画像センサー、ガスセンサー、人感センサーなどの各種センサーなどが含まれる。また、ＩｏＴデバイス９００１には、スマートフォン、携帯電話、ウェアラブル端末、ゲーム機器などの端末を含めてもよい。ＩｏＴデバイス９００１は、ＡＣ電源、ＤＣ電源、電池、非接触給電、いわゆるエナジーハーベストなどにより給電される。ＩｏＴデバイス９００１は、有線、無線、近接無線通信などにより通信することができる。通信方式は３Ｇ／ＬＴＥ、ＷｉＦｉ、ＩＥＥＥ８０２．１５．４、Ｂｌｕｅｔｏｏｔｈ、Ｚｉｇｂｅｅ（登録商標）、Ｚ−Ｗａｖｅなどが好適に用いられる。ＩｏＴデバイス９００１は、これらの通信手段の複数を切り替えて通信してもよい。
【０１０２】
ＩｏＴデバイス９００１は、１対１、星状、ツリー状、メッシュ状のネットワークを形成してもよい。ＩｏＴデバイス９００１は、直接に、またはゲートウエイ９００２を通して、外部のクラウド９００５に接続してもよい。ＩｏＴデバイス９００１には、ＩＰｖ４、ＩＰｖ６、６ＬｏＷＰＡＮなどによって、アドレスが付与される。ＩｏＴデバイス９００１から収集されたデータは、他のＩｏＴデバイス９００３、サーバ９００４、クラウド９００５などに送信される。ＩｏＴデバイス９００１からデータを送信するタイミングや頻度は好適に調整され、データを圧縮して送信してもよい。このようなデータはそのまま利用してもよく、統計解析、機械学習、データマイニング、クラスタ分析、判別分析、組み合わせ分析、時系列分析など様々な手段でデータをコンピュータ９００８で分析してもよい。このようなデータを利用することにより、コントロール、警告、監視、可視化、自動化、最適化、など様々なサービスを提供することができる。
【０１０３】
本開示に係る技術は、家に関するデバイス、サービスにも応用可能である。家におけるＩｏＴデバイス９００１には、洗濯機、乾燥機、ドライヤ、電子レンジ、食洗機、冷蔵庫、オーブン、炊飯器、調理器具、ガス器具、火災報知器、サーモスタット、エアコン、テレビ、レコーダ、オーディオ、照明機器、温水器、給湯器、掃除機、扇風機、空気清浄器、セキュリティカメラ、錠、扉・シャッター開閉装置、スプリンクラー、トイレ、温度計、体重計、血圧計などが含まれる。さらにＩｏＴデバイス９００１には、太陽電池、燃料電池、蓄電池、ガスメータ、電力メータ、分電盤を含んでもよい。
【０１０４】
家におけるＩｏＴデバイス９００１の通信方式は、低消費電力タイプの通信方式が望ましい。また、ＩｏＴデバイス９００１は屋内ではＷｉＦｉ、屋外では３Ｇ/ＬＴＥにより通信するようにしてもよい。クラウド９００５上にＩｏＴデバイス制御用の外部サーバ９００６を設置し、ＩｏＴデバイス９００１を制御してもよい。ＩｏＴデバイス９００１は、家庭機器の状況、温度、湿度、電力使用量、家屋内外の人・動物の存否などのデータを送信する。家庭機器から送信されたデータは、クラウド９００５を通じて、外部サーバ９００６に蓄積される。このようなデータに基づき、新たなサービスが提供される。このようなＩｏＴデバイス９００１は、音声認識技術を利用することにより、音声によりコントロールすることができる。
【０１０５】
また各種家庭機器からテレビに情報を直接送付することにより、各種家庭機器の状態を可視化することができる。さらには、各種センサーが居住者の有無を判断し、データを空調機、照明などに送付することで、それらの電源をオン・オフすることができる。さらには、各種家庭機器に供えられたディスプレイにインターネットを通じて広告を表示することができる。
【０１０６】
以上、本開示に係る技術が適用され得るＩｏＴシステム９０００の一例について説明した。本開示に係る技術は、以上説明した構成のうち、ＩｏＴデバイス９００１に好適に適用され得る。具体的には、ＩｏＴデバイス９００１に本開示に係る技術を適用することにより、機能を低下させずに消費電力を低減することができる。
【０１０７】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１０８】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１０９】
なお、本明細書に記載された効果はあくまで例示であって、限定されるものではなく、また、他の効果があってもよい。
【０１１０】
なお、本技術は以下のような構成もとることができる。
（１）消費電力が異なる２つのモードのうち前記消費電力が高い方の通常モードにおいて動作し、前記２つのモードのうち前記消費電力が低い方の省電力モードにおいて動作を停止するプロセッサと、
前記省電力モードにおいて前記プロセッサと異なるデジタル回路への供給電力の増減を指示する省電力モード制御命令を出力する制御部と、
前記省電力モード制御命令に従って前記デジタル回路への前記供給電力を増減して当該増減した供給電力を出力する電源管理集積回路と
を具備する電子装置。
（２）前記制御部は、前記供給電力の供給または遮断を指示する前記省電力モード制御命令を出力する
前記（１）記載の電子装置。
（３）前記電源管理集積回路は、電源電圧に応じた電力を前記供給電力として出力し、
前記制御部は、前記電源電圧の電圧値の増減を指示する前記制御命令を出力する
前記（１）または（２）に記載の電子装置。
（４）前記プロセッサは、前記通常モードにおいて前記プロセッサおよび前記デジタル回路への供給電力の増減を指示する通常モード制御命令を出力し、
前記電源管理集積回路は、前記通常モード制御命令および前記省電力モード制御命令のいずれかに従って前記プロセッサおよび前記デジタル回路への前記供給電力を増減する
前記（１）から（３）のいずれかに記載の電子装置。
（５）前記通常モードにおいて前記通常モード制御命令を選択して前記電源管理集積回路へ出力し、前記省電力モードにおいて前記省電力モード制御命令を選択して前記電源管理集積回路へ出力するセレクタをさらに具備する
前記（４）記載の電子装置。
（６）前記制御部は、前記プロセッサの動作が停止した場合には前記供給電力の低下を指示する命令を前記省電力モード制御命令として出力し、前記通常モードに復帰するための所定の復帰条件が満たされた場合には前記供給電力の上昇を指示する命令を前記省電力モード制御命令として出力する
前記（１）から（５）のいずれかに記載の電子装置。
（７）前記省電力モード制御命令を保持するレジスタをさらに具備し、
前記制御部は、前記省電力モード制御命令を前記レジスタから読み出す
前記（１）から（６）のいずれかに記載の電子装置。
（８）前記プロセッサへクロック信号を供給するクロック供給部をさらに具備し、
前記制御部は、前記省電力モードにおいて前記クロック信号の周波数を制御する
前記（１）から（７）のいずれかに記載の電子装置。
（９）省電力モードにおいて前記デジタル回路からのセンサデータを収集するセンサデータ収集部をさらに具備し、
前記デジタル回路は、前記センサデータを生成するセンサデバイスを含む
前記（１）から（８）のいずれかに記載の電子装置。
（１０）プロセッサが、消費電力が異なる２つのモードのうち前記消費電力が高い方の通常モードにおいて動作し、前記２つのモードのうち前記消費電力が低い方の省電力モードにおいて動作を停止する処理手順と、
制御部が、前記省電力モードにおいて前記プロセッサと異なるデジタル回路への供給電力の増減を指示する省電力モード制御命令を出力する制御手順と、
電源管理集積回路が、前記省電力モード制御命令に従って前記デジタル回路への前記供給電力を増減して当該増減した供給電力を出力する出力手順と
を具備する電子装置の制御方法。
【符号の説明】
【０１１１】
１００  電子装置
１１０  電源管理集積回路
１１１  電圧制御部
１１２  制御命令保持部
１１３  通信部
１１４、２１０、２１１  スイッチ
１２０  センサデバイス
１３０  バッテリ
２００  メインチップ
２２０、２３０  電源ドメイン
２２１  プロセッサ
２２２  メモリ
２４０  電源管理ユニット
２４１  制御シーケンサ
２４２  スリープタイマ
２４３  電源管理集積回路制御部
２４４  メインチップ内電源制御部
２４５  メインチップ内クロック制御部
２５０、２９１  レジスタ
２６０、２６１、２８３  セレクタ
２７０  通信部
２８０  クロック供給部
２８１  水晶発振器
２８２  位相同期回路
２９０  センサデータ収集部
２９２  センサデバイス制御部
２９３  ＦＩＦＯメモリ
９００１  ＩｏＴデバイス
【図１】
2018106274.tif 000003
【図２】
2018106274.tif 000004
【図３】
2018106274.tif 000005
【図４】
2018106274.tif 000006
【図５】
2018106274.tif 000007
【図６】
2018106274.tif 000008
【図７】
2018106274.tif 000009
【図８】
2018106274.tif 000010
【図９】
2018106274.tif 000011
【図１０】
2018106274.tif 000012
【図１１】
2018106274.tif 000013
【図１２】
2018106274.tif 000014
【図１３】
2018106274.tif 000015
【図１４】
2018106274.tif 000016